(57)【要約】【課題】アクセサリを良好に携帯できるゴルフクラブヘッドカバーを提供する。【解決手段】アクセサリ携帯可能ゴルフクラブヘッドカバーであって、動物の形をしたヘッドカバー本体を含み、前記ヘッドカバー本体はクラブヘッドが挿入される入口を有し、動物の形をした、上部と下部からなる口部の中にゴルフアクセサリを置く空洞部があり、前記上部と下部の間の連接部品により前記口部の開状態と閉状態を切り替えられることを特徴とするゴルフクラブヘッドカバー。【選択図】図２
0003133660.tif 000002
【実用新案登録請求の範囲】
【請求項１】
アクセサリ携帯可能ゴルフクラブヘッドカバーであって、動物の形をしたヘッドカバー本体を含み、前記ヘッドカバー本体はクラブヘッドが挿入される入口を有し、動物の形をした、上部と下部からなる口部の中にゴルフアクセサリを置く空洞部があり、前記上部と下部との間の連接部品により前記口部の開状態と閉状態を切り替えられることを特徴とするゴルフクラブヘッドカバー。
【請求項２】
前記ゴルフアクセサリを置く前記空洞部の内壁に、各アクセサリを固定する固定クリップ又は固定ポケットが設けられることを特徴とする請求項１に記載のゴルフクラブヘッドカバー。
【請求項３】
前記連接部品が、磁性材料又はマジックシール又はジッパーであることを特徴とする請求項１又は２に記載のゴルフクラブヘッドカバー。
【請求項４】
前記ゴルフアクセサリが、ゴルフボール又はティー又はグリーンフォークを含むことを特徴とする請求項１又は２に記載のゴルフクラブヘッドカバー。
【考案の詳細な説明】
【技術分野】
【０００１】
本考案はゴルフクラブヘッドカバー、具体的にはアクセサリを携帯可能であるゴルフクラブヘッドカバーに関する。
【背景技術】
【０００２】
現在、いろいろなゴルフクラブのヘッドカバーが販売されており、使用者は好みに合わせて選ぶことができる。しかし、現在販売されているヘッドカバーは単に性能あるいは実用性から考えられただけのものである。即ち、クラブ同士が互いに擦れあったりぶつかったりしてヘッドやクラブが壊れたり傷ができたりすることのみから考えられたものである。外観のデザインは単調で、娯楽性が足りない。
【０００３】
今日、動物の形を特色とするゴルフクラブのヘッドカバーも登場している。通常、それは中空で動物頭部の形状をしたヘッドカバー部分と、動物胴体部の形状をしたクラブカバー部分とを備え、ヘッドカバー部分とクラブカバー部分が一体となって形成されており、前記ヘッドカバー部分の下の部分にクラブの端が挿入される入口を有する。
【考案の開示】
【考案が解決しようとする課題】
【０００４】
ゴルフにおいては、一つのゴルフ場でも違うエリアによって、又は使用者の打つ距離によって、クラブに対するニーズが異なる。従って、例えばゴルフボール又はティー又はグリーンフォークなどの道具又はゴルフアクセサリが必要になる。一般の使用者はそれらの道具又はアクセサリをゴルフ道具用の大きなバッグ内に置く。しかし、それらのゴルフ道具又はアクセサリは体積も重さも小さいので、クラブと一緒に置く場合、取る時は海に落とした針を探すほど難しい。従来の解決方法は、ゴルフボックスを設けて、使用者にゴルフの周辺道具またアクセサリを置かせることのみであった。
【課題を解決するための手段】
【０００５】
上記の技術的課題に対して、本考案は、実用、美観と便利さに対しても改善し、動物の形をした、アクセサリを携帯可能なゴルフクラブのヘッドカバーを提供する。
すなわち、上記課題を解決するために、本考案は以下の手段を提供する。本考案に係るヘッドカバーは、動物の形をした、アクセサリ携帯可能ゴルフクラブヘッドカバーであって、動物の形をしたヘッドカバー本体を含み、前記ヘッドカバー本体はクラブヘッドが挿入される入口を有し、動物の形をした、上部と下部からなる口部の中にゴルフアクセサリを置く空洞部があり、前記上部と下部との間の連接部品により前記口部の開状態と閉状態を切り替えられる。
【０００６】
前記ゴルフアクセサリを置く空洞部の内壁には各アクセサリを固定する固定クリップまた固定ポケットが設けられることが好ましい。
【０００７】
前記連接部品が磁性材料又はマジックシール又はジッパーであることが好ましい。
【０００８】
前記ゴルフアクセサリはゴルフボール又はティー又はグリーンフォークを含むことが好ましい。
【考案の効果】
【０００９】
現在の技術と比べて、本考案はクラブ同士が互いに擦れあったりぶつかったりして傷ができたりすることを有効に防止できるだけではなく、娯楽性にも優れる。また、ゴルフボール又はティー又はグリーンフォークを携帯することができる。これにより、ヘッドカバーの中に置かれる道具又はアクセサリは良好な状態で保持され、紛失や落下を避けられる。また、使用者が使用しようとする際にも取りやすく、便利である。
【考案を実施するための最良の形態】
【００１０】
図１から図３に示すように、本考案のゴルフクラブヘッドカバーは動物の形をしたクラブヘッドカバー本体を含む。その本体は中空の動物頭部の形状のヘッドカバー部分１と、動物胴体の形状のクラブカバー部分２とを備え、ヘッドカバー部分１とクラブカバー部分２は一体となって形成されている。前記ヘッドカバー部分１の内側は硬い材質又は柔らかくて弾性のある材質からなり、その外側が柔軟な材質で包まれているものである。その柔軟な材質は、編み物や織物等の人工的に作られた毛皮でもよいし、他のこれに類する毛皮でもよい。模式的に動物頭部の形状の図案をプリントすれば、動物の頭部の微妙な形態を適切に表すことができて、娯楽性はより大きいものとなる。
【００１１】
前記ヘッドカバー部分１の下の部分にクラブの端が挿入される入口を有する。ゴルフクラブを使用した後、クラブヘッドをこの入口からヘッドカバー部分１の中空部分に挿入することができる。ヘッドカバー部分１の内側は、柔らかくて弾性があり、ふかふかする材質からなっているため、クラブヘッドを有効に保護できる。
【００１２】
前記動物頭部において、上部と下部とからなる口部３の中にゴルフアクセサリを置く空洞部があり、前記上部と下部との間にある磁性材料又はマジックシール又はジッパーにより口部の開状態と閉状態を切り替えられる。
【００１３】
前記ゴルフアクセサリを置く空洞部の内壁には、各アクセサリを固定する固定クリップ又は固定ポケットが設けられる。実際の需要によって、図２に示すようにティー４の固定に使われる狭いティー固定クリップ５であってもよく、また図３に示すようにグリーンフォーク６の固定に使われる広いグリーンフォーククリップ７であってもよい。最後に、図示しないがゴルフボールの固定に使用する固定ポケットであってもよい。上記の固定クリップと固定ポケットとを全部一緒に含んでもよい。上記のものは前記アクセサリを置く空洞部中に横方向に配列してもよく、縦方向に配列してもよい。
【００１４】
以上の記載は本考案の最適の実施形態である。実際には、この分野の通常の技術常識を有する者であれば、本考案の主旨を前提として、若干の変形あるいは改良を加えることができる。これらの変形あるいは改良したものも本考案の保護対象である。
【図面の簡単な説明】
【００１５】
【図１】本考案に係るゴルフクラブヘッドカバーの口部の閉状態の構造説明図である。
【図２】本考案に係るゴルフクラブヘッドカバーの第一の実施形態における口部の構造説明図である。
【図３】本考案に係るゴルフクラブヘッドカバーの第二の実施形態における口部の構造説明図である。
【符号の説明】
【００１６】
１  動物頭部の形状のヘッドカバー部分
２  動物胴体の形状のクラブカバー部分
３  口部
４  ティー
５  ティー固定クリップ
６  グリーンフォーク
７  グリーンフォーク固定クリップ
【図１】
0003133660.tif 000003
【図２】
0003133660.tif 000004
【図３】
0003133660.tif 000005